(57)【要約】  テープ端検出装置は、リールの軸部に巻回されたテープのテープ端を検出するテープ端検出装置であって、前記テープの少なくとも一部を巻き取り方向に送り移動させる駆動装置と、前記駆動装置により巻き取り方向に移動される前記テープのテープ端を検出するセンサ装置と、前記センサ装置による検出結果に基づいて前記駆動装置を制御する制御装置と、を備える。
2019026271.tif 000002
【特許請求の範囲】
【請求項１】
リールの軸部に巻回されたテープのテープ端を検出するテープ端検出装置であって、
前記テープの少なくとも一部を巻き取り方向に送り移動させる駆動装置と、
前記駆動装置により巻き取り方向に移動される前記テープのテープ端を検出するセンサ装置と、
前記センサ装置による検出結果に基づいて前記駆動装置を制御する制御装置と、
を備えるテープ端検出装置。
【請求項２】
前記センサ装置は、検出位置を前記テープ端が通過した際の前記検出位置における前記テープの厚み方向の変位に基づいて前記テープ端を検出する、請求項１に記載のテープ端検出装置。
【請求項３】
前記テープは、直線状に復帰する弾性力に抗して前記軸部に巻回され、
前記テープ端を所定の移動目標まで繰出するテープ端繰出装置であって、
請求項１または２に記載のテープ端検出装置と、
前記軸部側に前記テープを押圧する押圧装置と、を備え、
前記駆動装置は、前記テープのうち少なくとも前記押圧装置により押圧されている部位を巻き取り方向に送り移動させる、テープ端繰出装置。
【請求項４】
前記制御装置は、前記センサ装置により前記テープ端が検出された場合に、前記駆動装置による前記テープの送り移動を停止する、請求項３に記載のテープ端繰出装置。
【請求項５】
前記テープ端繰出装置は、前記テープ端が繰出される位置から前記移動目標まで前記テープの送り移動をガイドするテープガイドをさらに備え、
前記制御装置は、前記テープ端が検出された後に、前記テープのうち少なくとも前記押圧装置により押圧されている部位を前記テープの繰り出し方向に送り移動させるように前記駆動装置を制御することによって、前記移動目標に向かって前記テープを送り移動させる、請求項４に記載のテープ端繰出装置。
【請求項６】
前記テープは、複数の部品を所定間隔で収納したキャリアテープであり、
前記テープガイドは、前記キャリアテープを自動で装填可能なオートローディング式のフィーダにおける前記キャリアテープの挿入部を前記移動目標として、前記テープ端が検出される位置と前記挿入部を連結する、請求項５に記載のテープ端繰出装置。
【請求項７】
前記押圧装置は、前記軸部と平行な軸線周りに回転可能に設けられ、前記テープと接触する部位において前記テープと係合する係合部を有する、請求項３−６の何れか一項に記載のテープ端繰出装置。
【請求項８】
前記係合部は、前記テープと摩擦係合する摩擦ローラである、請求項７に記載のテープ端繰出装置。
【請求項９】
前記係合部は、前記テープに所定間隔で形成された係合穴に係合する係合突起を全周に亘って形成されたスプロケットである、請求項７に記載のテープ端繰出装置。
【請求項１０】
前記押圧装置は、前記係合部を回転駆動させて前記テープの送り移動を補助する補助駆動部をさらに有する、請求項７−９の何れか一項に記載のテープ端繰出装置。
【請求項１１】
前記駆動装置は、前記係合部を回転駆動させて前記テープを送り移動させる、請求項７−９の何れか一項に記載のテープ端繰出装置。
【請求項１２】
前記駆動装置は、前記リールの前記軸部またはフランジ部に動力を付与して前記リールを回転駆動させて前記テープを送り移動させる、請求項３−１１の何れか一項に記載のテープ端繰出装置。
【請求項１３】
前記センサ装置は、
前記テープのうち前記押圧装置により押圧されている部位から前記テープの繰り出し方向に規定距離だけ離間して配置され、前記テープ端の弾性力に抗して前記テープ端を湾曲させる規制部と、
前記テープ端が前記規制部を巻き取り方向に通過した場合に、弾性力によって直線状に復帰した前記テープ端を検出する光電センサと、を有する、請求項３−１２の何れか一項に記載のテープ端繰出装置。
【発明の詳細な説明】
【技術分野】
【０００１】
本発明は、テープ端検出装置およびテープ端繰出装置に関するものである。
【背景技術】
【０００２】
特許文献１には、キャリアテープを用いて回路基板に部品を装着する部品装着機が開示されている。キャリアテープは、多数の部品を所定の間隔で収納し、リールの軸部に巻回されて管理される（特許文献１の図５を参照）。また、このようなキャリアテープを対象として、自動装填を可能とするフィーダ（特許文献２を参照）や、別のキャリアテープへの自動スプライシングを可能とするスプライシング装置（特許文献３を参照）が知られている。
【先行技術文献】
【特許文献】
【０００３】
【特許文献１】特開２００４−２２８４８３号公報
【特許文献２】国際公開第２０１５／１８１９５８号
【特許文献３】特開２０１７−０３４０４５号公報
【発明の概要】
【発明が解決しようとする課題】
【０００４】
ここで、キャリアテープのテープ端をフィーダやスプライシング装置にセットする作業には、テープ端の検出や、フィーダやスプライシング装置へのテープ端の挿入が含まれる。生産ライン等の省人化を図る上では上記作業の自動化が望まれている。
本明細書は、テープ端を検出することにより、作業の効率向上、および自動化を図ることが可能なテープ端検出装置およびテープ端繰出装置を提供することを目的とする。
【課題を解決するための手段】
【０００５】
本明細書は、リールの軸部に巻回されたテープのテープ端を検出するテープ端検出装置であって、前記テープの少なくとも一部を巻き取り方向に送り移動させる駆動装置と、前記駆動装置により巻き取り方向に移動される前記テープのテープ端を検出するセンサ装置と、前記センサ装置による検出結果に基づいて前記駆動装置を制御する制御装置と、を備えるテープ端検出装置を開示する。【０００６】
本明細書は、前記テープは、直線状に復帰する弾性力に抗して前記軸部に巻回され、前記テープ端を所定の移動目標まで繰出するテープ端繰出装置であって、上記のテープ端検出装置と、前記軸部側に前記テープを押圧する押圧装置と、を備え、前記駆動装置は、前記テープのうち少なくとも前記押圧装置により押圧されている部位を巻き取り方向に送り移動させ、を備えるテープ端繰出装置を開示する。
【発明の効果】
【０００７】
このようなテープ端検出装置およびテープ端繰出装置の構成によると、リールに巻回されたテープのテープ端が自動的に検出される。これにより、テープ端の検出に要する時間を削減できるので、テープを用いた作業の効率向上および作業の自動化を図ることができる。
【図面の簡単な説明】
【０００８】
【図１】実施形態におけるテープ端検出装置を備えるテープ端繰出装置、フィーダ、およびリールの全体を示す側面図である。
【図２】キャリアテープの一部を示す上面図である。
【図３】テープ端繰出処理を示すフローチャートである。
【図４】テープ端繰出処理における初期状態を拡大して示す模式図である。
【図５】テープ端繰出処理におけるテープ端の検出直前の状態を拡大して示す模式図である。
【図６】テープ端繰出処理におけるテープ端が検出された状態を拡大して示す模式図である。
【図７】テープ端繰出処理におけるテープ端を移動目標まで送り移動させた状態を拡大して示す模式図である。
【発明を実施するための形態】
【０００９】
１．実施形態
１−１．テープ端繰出装置１の概要
テープ端繰出装置１は、テープ端を検出することにより、種々の作業の効率向上、および自動化を図る目的で用いられる。本実施形態において、テープ端繰出装置１は、図１に示すように、フィーダ６０に取り付けられ、フィーダ６０にセットされるキャリアテープ９０のテープ端を、後述するテープ端検出装置３０により検出する。さらに、テープ端繰出装置１は、テープ端が検出された検出部Ｐｄから所定の移動目標（本実施形態において、フィーダ６０の挿入部Ｐｉ）までテープ端を送り移動させる。
【００１０】
上記のフィーダ６０は、回路基板に部品を装着して基板製品を生産する部品装着機に用いられるオートローディング式のテープフィーダである。フィーダ６０は、挿入部Ｐｉからキャリアテープ９０のテープ端が挿入されたことを検出すると、キャリアテープ９０をフィーダ本体６１に形成されたレール６１１に沿って送り移動させるローディング処理を実行する。このように、フィーダ６０は、キャリアテープ９０を自動で装填可能に構成されている。
【００１１】
１−２．キャリアテープ９０の構成
キャリアテープ９０は、図２に示すように、複数の部品を所定間隔で一列に収納する。キャリアテープ９０は、ベーステープ９１と、カバーテープ９２とを有する。ベーステープ９１は、紙材や樹脂等の可撓性を有する材料により形成される。ベーステープ９１には、幅方向（図２の上下方向）の中央部に収納部９１１が形成される。収納部９１１は、底部を有する凹状をなす。収納部９１１は、ベーステープ９１の長手方向（図２の左右方向）に一定の間隔で形成される。それぞれの収納部９１１は、一つの部品を収納する。
【００１２】
また、ベーステープ９１には、幅方向の一方側の縁部に係合穴９１２が形成される。係合穴９１２は、ベーステープ９１の長手方向に一定の間隔で形成される。係合穴９１２は、キャリアテープ９０の厚み方向（図２の前後方向）に貫通している。本実施形態において、隣り合う係合穴９１２の間隔は、隣り合う収納部９１１同士の間隔よりも小さく設定されている。
【００１３】
カバーテープ９２は、薄い膜状の高分子フィルムにより形成されている。カバーテープ９２の幅方向の両端部は、ベーステープ９１の上面に接着されている。これにより、カバーテープ９２は、収納部９１１の開口部を閉塞する。これにより、ベーステープ９１の収納部９１１に収納された部品の脱落が防止されている。なお、カバーテープ９２は、フィーダ６０の取出部の直前において、フィーダ６０のテープガイドにより剥離される。以下では、キャリアテープ９０を「テープ９０」とも称する。
【００１４】
上記のような構成からなるテープ９０は、側方視において直線状に復帰する弾性力を有する。テープ９０は、弾性力に抗してリール８０の軸部８１に複数周に亘って巻回されている。以下では、リール８０に巻回されたテープ９０の巻き取り方向（図１の反時計回り方向）とは反対方向を、テープ９０の繰り出し方向（図１の太矢印で示す時計回り方向）とする。リール８０は、軸部８１と一対のフランジ部８２とを有する。軸部８１は、円筒状に形成され、巻回されたテープ９０の終端を保持する。一対のフランジ部８２は、軸部８１の軸方向端部から全周に亘って径方向外方に延伸するように形成されている。リール８０は、フィーダ６０に固定されたバケット７１に収容される。
【００１５】
１−３．フィーダ６０の構成
フィーダ６０は、図１に示すように、フィーダ本体６１と、一対のスプロケット６２と、テープ支持ユニット６３とを備える。以下の説明において、ローディング処理においてテープ９０が送り移動される搬送方向の下流側（図１の右側）を前方とし、搬送方向の上流側（図１の左側）を後方とする。
【００１６】
フィーダ本体６１は、扁平な箱形状に形成され、部品装着機を構成する部品供給装置のスロットにセットされる。フィーダ本体６１は、テープ９０を挿入される挿入部Ｐｉから挿入されたテープ９０を支持するレール６１１が形成される。挿入部Ｐｉは、フィーダ本体６１の後部に設けられる。上記のレール６１１は、挿入部Ｐｉから部品の取出部（図示しない）までテープ９０を下方から支持する搬送路を構成する。
【００１７】
一対のスプロケット６２は、テープ９０の搬送方向に並んで配置される。一対のスプロケット６２のそれぞれは、フィーダ本体６１に回転可能に支持される。一対のスプロケット６２は、テープ９０の係合穴９１２に係合可能な係合突起が外周の少なくとも一部に形成される。一対のスプロケット６２のそれぞれは、駆動源としてのステッピングモータにより回転駆動される。
【００１８】
テープ支持ユニット６３は、テープ９０の搬送方向において、一対のスプロケット６２が位置するレール６１１の上方に配置される。テープ支持ユニット６３は、レール６１１との間に介在するテープ９０をレール６１１に押し付けて、テープ９０の上方移動を規制する。これにより、テープ支持ユニット６３は、テープ９０の係合穴９１２と一対のスプロケット６２の係合を補助する。
【００１９】
１−４．テープ端繰出装置１の詳細構成
テープ端繰出装置１は、図１に示すように、バケット７１に収容されたリール８０に対してセットされる。テープ端繰出装置１は、テープガイド１０と、押圧装置２０と、テープ９０のテープ端を検出するテープ端検出装置３０とを備える。テープ端繰出装置１は、テープ端検出装置３０により検出されたテープ９０のテープ端を所定の移動目標まで繰出する。
【００２０】
テープガイド１０は、検出部Ｐｄからフィーダ６０の挿入部Ｐｉまでテープ９０の送り移動をガイドする。詳細には、テープガイド１０は、図４に示すように、本体部１１および取付部１２を有する。本体部１１は、上壁部１１１、一対の側壁部１１２、および底壁部１１３により断面が矩形状からなる筒状に形成される。上壁部１１１および底壁部１１３は、互いに上下方向に対向して配置される。上壁部１１１と底壁部１１３との間隔は、フィーダ６０の挿入部Ｐｉに近付くに従って小さくなるように設定される。
【００２１】
一対の側壁部１１２は、互いに左右方向（図４の前後方向）に対向して配置される。一対の側壁部１１２の間隔は、テープ９０の幅よりも僅かに大きくなるように設定される。取付部１２は、フィーダ６０に着脱可能に取り付けられる。取付部１２は、フィーダ６０に取り付けられた状態において、本体部１１を回転軸線Ａ１周りに回転可能に支持する。このような構成により、テープガイド１０は、筒状からなる両端部において、テープ端が検出される位置（検出部Ｐｄ）とフィーダ６０の挿入部Ｐｉを連結する。
【００２２】
押圧装置２０は、摩擦ローラ２１および補助駆動部２２を有する。摩擦ローラ２１は、リール８０の軸部８１と平行な回転軸線Ａ２周りに回転可能にテープガイド１０に設けられる。摩擦ローラ２１は、テープ９０と接触する部位においてテープ９０に摩擦係合する係合部である。摩擦ローラ２１は、テープガイド１０および押圧装置２０の自重によって回転軸線Ａ１周りに回転しようとする回転力を、リール８０の上部に位置するテープ９０に付与する。これにより、摩擦ローラ２１は、リール８０の軸部８１側にテープ９０を押圧する。なお、上記のような構成によると、リール８０に巻回されたテープ９０の残量、即ち軸部８１から巻回されたテープ９０の最外部までの距離によらず、摩擦ローラ２１によりテープ９０を押圧できる。
【００２３】
補助駆動部２２は、係合部である摩擦ローラ２１を回転駆動させてテープ９０の送り移動を補助する。詳細には、補助駆動部２２は、例えば回転軸線Ａ２と同軸に回転軸を設けられたステッピングモータにより構成される。補助駆動部２２は、入力されるパルス電力に応じて回転軸を回転させて、摩擦ローラ２１に回転力を付与する。これにより、補助駆動部２２は、テープ９０のうち摩擦ローラ２１に接触した部位を送り移動させる。補助駆動部２２は、後述するテープ端検出装置３０の制御装置５０により回転する方向および回転量を制御される。
【００２４】
テープ端検出装置３０は、リール８０の軸部８１に巻回されたテープ９０のテープ端を検出する。本実施形態において、テープ端検出装置３０は、駆動装置３１と、センサ装置４０と、制御装置５０とを備える。駆動装置３１は、テープ９０の少なくとも一部をテープ９０の巻き取り方向に送り移動させる。より具体的には、駆動装置３１は、テープ９０のうち少なくとも押圧装置２０により押圧されている部位を少なくとも巻き取り方向に送り移動させる。
【００２５】
本実施形態において、駆動装置３１は、バケット７１に設けられ、当該バケット７１に収容されたリール８０の軸部８１と同軸に回転軸を設けられたステッピングモータにより構成される。駆動装置３１は、入力されるパルス電力に応じて回転軸を回転させて、軸部８１に回転力を付与する。これにより、駆動装置３１は、リール８０全体をテープ９０の巻き取り方向または繰り出し方向に回転させる。駆動装置３１は、後述する制御装置５０により回転する方向および回転量を制御される。
【００２６】
センサ装置４０は、駆動装置３１により巻き取り方向に移動されるテープ端を検出する。センサ装置４０は、規制部４１と、光電センサ４２とを有する。規制部４１は、テープ９０のうち押圧装置２０により押圧されている部位からテープ９０の繰り出し方向に規定距離Ｄ１だけ離間して配置され、テープ端の弾性力に抗してテープ端を湾曲させる（図４および図５を参照）。本実施形態において、規制部４１は、テープガイド１０における本体部１１の底壁部１１３のうちフィーダ６０とは反対側の端部に相当する。
【００２７】
光電センサ４２は、テープ端が規制部４１を巻き取り方向に通過した場合に（図６を参照）、弾性力によって直線状に復帰したテープ端を検出する。本実施形態において、光電センサ４２は、テープガイド１０の底壁部１１３に設けられた発光部４２１から照射された光を、摩擦ローラ２１と並んでテープガイド１０の上壁部１１１に設けられた受光部４２２により受光する。センサ装置４０は、受光部４２２の受光状態が遮光状態に遷移した場合に、発光部４２１と受光部４２２との間にテープ９０のテープ端が位置すると認識する。
【００２８】
上記のように、テープ端繰出装置１は、押圧装置２０の摩擦ローラ２１およびセンサ装置４０の規制部４１との間において、光電センサ４２が検出可能な位置を検出部Ｐｄとして、当該検出部Ｐｄにテープ９０のテープ端を検出する。なお、光電センサ４２は、発光部４２１と受光部４２２を対向して配置する他に、種々の態様を採用し得る。光電センサ４２は、例えば発光部４２１と受光部４２２を上壁部１１１または底壁部１１３に並んで配置され、テープ端により反射される反射光を検出して、または反射板から反射される反射光をテープ端が遮ったことを検出して、テープ端を検出してもよい。
【００２９】
制御装置５０は、主として、ＣＰＵや各種メモリ、制御回路により構成される。制御装置５０は、センサ装置４０による検出結果に基づいて駆動装置３１および補助駆動部２２を制御する。具体的には、制御装置５０は、センサ装置４０によりテープ端が検出された場合に、駆動装置３１によるテープ９０の送り移動を停止する。これにより、検出部Ｐｄに検出されたテープ端が導出される。
【００３０】
１−５．テープ端繰出処理
上記のテープ端繰出装置１を用いてテープ９０のテープ端９５を所定の移動目標まで繰出する処理について、図３−図７を参照して説明する。ここで、フィーダ６０は、テープ支持ユニット６３にテープ９０が支持されていない状態であり、例えばテープ９０がレール６１１の全域に亘って存在していない状態とする。さらに、バケット７１には、リール８０が収納されている。テープ端繰出装置１は、フィーダ６０の後部に取り付けられ、押圧装置２０の摩擦ローラ２１がリール８０に巻回されたテープ９０の一部を軸部８１側に押圧している状態にある。
【００３１】
例えばオペレータによりローディング処理の実行を指示する操作スイッチが押されて、またはフィーダ６０からの要求を入力して、テープ端繰出装置１が繰出処理を実行する。制御装置５０は、先ず、テープ９０のうち押圧装置２０の摩擦ローラ２１により押圧されている部位を巻き取り方向に送り移動させて、テープ９０の巻き取りを開始する（ステップ１１（以下、「ステップ」を「Ｓ」と表記する））。
【００３２】
具体的には、制御装置５０は、駆動装置３１によりテープ９０の巻き取り方向（図４における反時計回り方向）にリール８０を回転させる。さらに、制御装置５０は、テープ９０が巻き取り方向に送り移動されるように、補助駆動部２２により摩擦ローラ２１を回転させる。制御装置５０は、センサ装置４０によりテープ端９５が検出されない場合には（Ｓ１２：Ｎｏ）、検出されるまでテープ９０の巻き取りを継続する。
【００３３】
これにより、図４に示すように、テープ９０のうち直線状に復帰したテープ端９５が徐々にテープガイド１０の下方に接近する。さらに、テープ９０が巻き取られると、テープ端９５は、図５に示すように、規制部４１により弾性力に抗して湾曲される。その後に、テープ端９５が規制部４１を巻き取り方向に通過すると、図６に示すように、テープ端９５は、弾性力によって直線状に復帰してテープガイド１０に挿入された状態となる。
【００３４】
これにより、センサ装置４０は、発光部４２１から照射された光がテープ端９５により遮光されて、受光部４２２の受光状態が遮光状態に遷移したことをもって、テープ端９５を検出する。制御装置５０は、センサ装置４０によりテープ端９５が検出された場合には（Ｓ１２：Ｙｅｓ）、駆動装置３１および補助駆動部２２を停止する（Ｓ１３）。このとき、制御装置５０は、検出部Ｐｄにテープ端９５が検出されているか否かを、受光部４２２の遮光状態が維持されているか否かに基づいて判定してもよい。
【００３５】
次に、制御装置５０は、上記のようにテープ端９５が検出された後に、テープ９０のうち少なくとも押圧装置２０の摩擦ローラ２１により押圧されている部位をテープ９０の繰り出し方向に送り移動させるように駆動装置３１を制御する（Ｓ１４）。具体的には、制御装置５０は、Ｓ１１における駆動装置３１の動作を反転させて、駆動装置３１によりテープ９０が送出される方向（図４における時計回り方向）にリール８０を回転させる。これにより、テープ９０は、テープガイド１０により案内されて移動目標であるフィーダ６０の挿入部Ｐｉに向かって送り移動される。
【００３６】
また、上記のような送り移動を行う際に、制御装置５０は、テープ９０がテープガイド１０の内部を送り移動されるように、補助駆動部２２により摩擦ローラ２１を回転させる。制御装置５０は、フィーダ６０によるローディング処理が開始されない場合には（Ｓ１５：Ｎｏ）、ローディング処理が開始されるまでテープ９０の送り移動を継続する。これにより、図７に示すように、テープ９０がテープガイド１０に沿って移動して、テープ端９５がフィーダ６０の挿入部Ｐｉに到達する。
【００３７】
これにより、フィーダ６０は、挿入部Ｐｉからテープ９０が挿入されたことを検出して、一対のスプロケット６２によりテープ９０をレール６１１に沿って送り移動させるローディング処理を実行する。制御装置５０は、テープ９０の引き込みによりローディング処理の開始を検出する。その他に、制御装置５０は、例えばフィーダ６０や部品装着機からの通知を入力して、ローディング処理の開始を認識してもよい。
【００３８】
フィーダ６０によるローディング処理が開始された場合には（Ｓ１５：Ｙｅｓ）、制御装置５０は、駆動装置３１および補助駆動部２２によるテープ９０の自由移動を許容する（Ｓ１６）。ここで、テープ９０の自由移動とは、モータなどによって送り移動を制御するための駆動力を付与されたり制動されたりしておらず、フィーダ６０側の動作によってテープ９０が移動可能な状態を意味する。
【００３９】
つまり、制御装置５０は、リール８０および摩擦ローラ２１の自由な回転を許容する。このとき、リール８０の軸部８１から駆動装置３１の回転軸が外され、またテープ９０から摩擦ローラ２１が離間されるようにしてもよい。また、テープ端繰出処理が終了した後に、テープ端繰出装置１は、フィーダ６０から取り外され、他のフィーダ６０に取り付けられて次回のテープ端繰出処理に用いられるようにしてもよい。このとき、例えばテープガイド１０は、延伸方向に底壁部１１３が分割されて下方に開口し、取り外し可能な状態とされてもよい。
【００４０】
上記のようなテープ端繰出処理を実行することにより、テープ９０のテープ端９５を自動で検出し、所定の移動目標までテープ端を繰出することができる。これにより、テープ端９５の検出および繰出に要する時間を削減できるので、テープ９０を用いた作業の効率向上および作業の自動化を図ることができる。また、検出されたテープ端９５をフィーダ６０の挿入部Ｐｉに挿入するように繰出することにより、このようなテープ端９５の挿入作業を自動化することができる。よって、部品装着機による装着処理における部品切れを防止して、生産効率の低下を抑制できる。また、挿入作業の自動化によって、生産ラインの省人化を図ることができる。
【００４１】
２．実施形態の変形態様
２−１．テープガイド１０について
実施形態において、テープガイド１０は、テープ端９５が検出される位置（検出部Ｐｄ）と、移動目標としてのフィーダ６０の挿入部Ｐｉを連結する構成とした。これに対して、移動目標は、用途に応じて適宜設定され得る。例えば、移動目標は、異なるテープ９０同士を接続するスプライシング装置の挿入部であってもよい。また、スプライシングが手作業にて行われる場合にも、オペレータがテープ端９５を取り出す位置を移動目標として設定してもよい。
【００４２】
また、オペレータがテープ端９５を取り出す所定の位置は、テープ端９５がセンサ装置４０により検出される位置（検出部Ｐｄ）であってもよい。このような態様においては、テープ端繰出装置１は、テープガイド１０および押圧装置２０を備えない構成としてもよい。換言すると、実施形態においてテープ端繰出装置１を構成するテープ端検出装置３０は、単体で、テープ９０のテープ端９５を検出する用途に適用することができる。
【００４３】
また、実施形態にて、テープ９０は、複数の部品を所定間隔で収納したキャリアテープである態様を例示した。これに対して、テープ端繰出装置１は、側方視において直線状に復帰する弾性力を有し、且つリール８０の軸部８１に巻回されるものであれば、キャリアテープ以外のテープに適用することができる。また、テープ端検出装置３０は、上記のような弾性力を有しないテープ（自重で直線状に復帰しない程度に小さな弾性力を有するテープを含む）であって、且つリール８０の軸部８１に巻回されるものであれば、キャリアテープ以外のテープに適用することができる。
【００４４】
また、テープ端検出装置３０のセンサ装置４０は、検出位置（実施形態の「検出部Ｐｄ」に相当）をテープ端が通過した際の検出位置におけるテープの厚み方向の変位（「リール８０の径方向の変位」に相当）に基づいてテープ端を検出するようにしてもよい。このような構成によると、テープ端検出装置３０は、テープの弾性力によらず、巻き取り方向に移動するテープの最外表面の変位（詳細には、リール８０の径方向の変位）に基づいてテープ端９５を検出できる。
【００４５】
２−２．押圧装置２０の係合部について
実施形態において、押圧装置２０は、係合部としての摩擦ローラ２１を備える構成とした。これに対して、係合部は、回転軸線Ａ２周りに回転可能に設けられ、テープ９０と接触する部位においてテープ９０と係合する構成であれば、種々の態様を採用し得る。具体的には、押圧装置２０の係合部は、テープ９０に所定間隔で形成された係合穴９１２に係合する係合突起を全周に亘って形成されたスプロケットである構成としてもよい。
【００４６】
このような構成によると、係合部としてのスプロケットとテープ９０との間に滑りが発生することを防止できる。これにより、テープ端繰出装置１は、テープ９０を確実に送り移動させることができる。なお、押圧装置２０は、摩擦ローラ２１およびスプロケットの両方を備え、テープに応じて一方または両方を用いて、テープ９０を軸部８１側に押圧しつつテープ９０を送り移動させる構成としてもよい。
【００４７】
また、押圧装置２０は、上記のように係合部が回転軸線Ａ２周りに回転可能に構成されるものとした。これに対して、押圧装置２０は、テープ９０を軸部８１側に押圧可能であれば、例えばテープ９０の上面を摺動する構成としてもよい。但し、係合部とテープ９０の摩擦を低減したり、係合部を回転駆動させたりする観点からは、実施形態および変形態様にて例示したように、回転可能な係合部によりテープ９０を押圧する構成が好適である。
【００４８】
２−３．駆動装置３１について
実施形態において、テープ端繰出装置１は、テープ９０を送り移動させる機構として、駆動装置３１および補助駆動部２２を備える構成とした。これに対して、テープ端繰出装置１は、テープ９０のうち少なくとも押圧装置２０により押圧されている部位が巻き取り方向に送り移動させることが可能であれば種々の態様を採用し得る。具体的には、テープ端繰出装置１は、駆動装置３１および補助駆動部２２の一方のみを備える構成としてもよい。
【００４９】
つまり、テープ端繰出装置１がリール８０に動力を付与する駆動装置３１のみを備える構成においては、例えば駆動装置３１は、実施形態にて例示したようにリール８０の軸部８１の動力を付与し、または一対のフランジ部８２に少なくとも一方に動力を付与する構成としてもよい。このとき、押圧装置２０は、補助駆動部２２を有さず、且つ係合部を自由回転可能に支持する。
【００５０】
一方で、テープ端繰出装置１が実施形態にて例示した補助駆動部２２のみを備える構成においては、この補助駆動部２２が主の駆動装置に相当する。即ち、駆動装置は、係合部としての摩擦ローラ２１またはスプロケットに動力を付与する。このとき、リール８０は、バケット７１に収容され、または軸部８１を自由回転可能に支持される。
【００５１】
そのため、駆動装置がテープ９０のうち押圧装置２０により押圧されている部位を送り移動させると、リール８０の回転が伴わなければ、テープ端９５が検出されるまでの期間においてテープ９０が弛むことになる。しかし、その後にテープ端９５が目標位置へと移動されたり、オペレータにより取り出されたりすることによりテープ９０の弛みは解消される。このような構成によると、リール８０を回転させる機構を省略できるので、テープ端繰出装置１の製造コストを低減できる。また、テープ端繰出装置１をコンパクトにすることができる。
【００５２】
また、テープ端繰出装置１は、実施形態にて例示した駆動装置３１および補助駆動部２２を一体的にした回転機構を備える構成としてもよい。具体的には、上記の回転機構は、摩擦ローラ２１の両端側にリール８０の径方向に平行な軸線周りに回転可能であり、且つ一対のフランジ部８２の内面にそれぞれ摩擦係合する一対の駆動ローラを備える。これにより、摩擦ローラ２１と駆動ローラを適宜回転させることによって、テープ９０を送り移動させるとともに、リール８０を回転させることができる。
【００５３】
２−４．センサ装置４０について
実施形態において、センサ装置４０は、規制部４１と光電センサ４２とを有する構成とした。規制部４１は、テープガイド１０における本体部１１の底壁部１１３の一部である構成を例示した。これに対して、規制部４１は、テープガイド１０と別に設けられてもよい。このとき、規制部４１は、実施形態と同様にテープ９０の上面を摺動する構成の他に、ローラを備える構成としてもよい。また、センサ装置４０は、光電センサ４２のような非接触式のセンサの他に、規制部４１を通過したテープ端９５と接触して検出する接触式としてもよい。
【符号の説明】
【００５４】
１：テープ端繰出装置、  １０：テープガイド、  ２０：押圧装置、  ２１：摩擦ローラ（係合部）、  ２２：補助駆動部、  ３０：テープ端検出装置、  ３１：駆動装置、  ４０：センサ装置、  ４１：規制部、  ４２：光電センサ、  ５０：制御装置、  ６０：フィーダ、  ７１：バケット、  ８０：リール、  ８１：軸部、  ８２：フランジ部、  ９０：キャリアテープ、  ９１２：係合穴、  ９５：テープ端、  Ｐｉ：挿入部（移動目標）、  Ｐｄ：検出部、  Ａ１：（テープガイドの）回転軸線、  Ａ２：（摩擦ローラの）回転軸線
【図１】
2019026271.tif 000003
【図２】
2019026271.tif 000004
【図３】
2019026271.tif 000005
【図４】
2019026271.tif 000006
【図５】
2019026271.tif 000007
【図６】
2019026271.tif 000008
【図７】
2019026271.tif 000009
【国際調査報告】
2019026271.tif 000010
2019026271.tif 000011
2019026271.tif 000012
2019026271.tif 000013